(57)【要約】【課題】絵本本体から各カード体を取り出し可能なカード型絵本において、一旦取り出してバラバラになった各カード体の片付けが容易なカード体絵本を提供する。【解決手段】カード体２には、留め具５を貫き通すことによって絵本本体１に回転展開可能に固定するための貫通孔４が設けられている。カード体２の周縁部のうち、カード体近傍には断面が直線であるカット部６が設けられており、バラバラになった複数毎のカード体２を、上記カット部６が概ね下側に揃った状態でこの部分を卓上など任意の平面部分に軽く叩きつけることにより、各カード体２の貫通孔４を容易に位置合わせすることができ、絵本本体１に容易に元通りに収納することが可能となる。【選択図】図１
0003123355.tif 000002
【実用新案登録請求の範囲】
【請求項１】
カバー体と、複数枚のカード体と、前記複数枚のカード体が回動可能なように前記カバー体と固定させる固定部材と、を有するカード型絵本であって、
前記固定部材は、前記カード体及び前記カバー体に設けられた貫通孔に貫通させる軸部材と、前記軸部材の先端近傍において着脱可能に取り付けられる蓋部材とからなり、
前記複数のカード体のページ面の形状は正円形状又は略正円形状に形成されており、
前記貫通孔に近傍のカード体縁部には直線状のカット部が設けられている
ことを特徴とするカード型絵本。
【請求項２】
カバー体と、複数枚のカード体と、前記複数枚のカード体が回動可能なように前記カバー体と固定させる固定部材と、を有するカード型絵本であって、
前記固定部材は、前記カード体及び前記カバー体に設けられた貫通孔に貫通させる軸部材と、前記軸部材の先端近傍において着脱可能に取り付けられる蓋部材とからなり、
前記複数のカード体のページ面の形状は楕円形状又は略楕円形状に形成されており、
前記貫通孔はカード体の長径方向の一方端近傍に形成されており、
前記貫通孔に近傍のカード体縁部には直線状のカット部が設けられている
ことを特徴とするカード型絵本。
【請求項３】
カバー体と、複数枚のカード体と、前記複数枚のカード体が回動可能なように前記カバー体と固定させる固定部材と、を有するカード型絵本であって、
前記固定部材は、前記カード体及び前記カバー体に設けられた貫通孔に貫通させる軸部材と、前記軸部材の先端近傍において着脱可能に取り付けられる蓋部材とからなり、
前記複数のカード体のページ面の形状は、正円形状又は略正円形状の直径両端部周縁に一対の切欠部を設けた形状に形成されており、
前記貫通孔に近傍のカード体縁部には直線状のカット部が設けられている
ことを特徴とするカード型絵本。
【請求項４】
カバー体と、複数枚のカード体と、前記複数枚のカード体が回動可能なように前記カバー体と固定させる固定部材と、を有するカード型絵本であって、
前記固定部材は、前記カード体及び前記カバー体に設けられた貫通孔に貫通させる軸部材と、前記軸部材の先端近傍において着脱可能に取り付けられる蓋部材とからなり、
前記複数のカード体のページ面の形状は、楕円形状又は略楕円形状の短径両端部周縁に一対の切欠部を設けた形状に形成されており、
前記貫通孔はカード体の長径方向の一方端近傍に設けられており、
前記貫通孔に近傍のカード体縁部には直線状のカット部が設けられている
ことを特徴とするカード型絵本。
【請求項５】
前記切欠部は直径１ｃｍから２ｃｍの半円形状又は略半円形状であることを特徴とする、請求項３又は請求項４に記載のカード型絵本。
【考案の詳細な説明】
【技術分野】
【０００１】
この発明は、カード型絵本に関する。
【背景技術】
【０００２】
幼児教育において絵本は、幼児の創造性を育む手段、ものや事柄の名前や呼び方を知り、身につけさせる手段、文字や文章に触れる手段、更には親などの保護者が読み聞かせることにより親密なコミュニケーションを図る手段として極めて重要な役割を担っている。
【０００３】
一般的な絵本の形状としては、通常の書籍同様、背表紙で各ページが着脱不能に固定された見開き形状のものが良く知られている。その一方で、カード型の絵本も近年多く見られる。ここで「カード型絵本」とは、各ページが背表紙において固定されることなく、あたかも一枚のカードのように取り扱い可能に構成されている絵本を指す。カード型絵本の利点は、一般的な形状の絵本のようにページのめくり方が限定されず、読み方あるいは読み聞かせ方に読み手の工夫を介在させることができる点にある。特許文献１には、所定の支点を中心に各ページが回転する構造になっており、ページを組み合わせる順番を変えることで毎回異なる話を作ることができる絵本が開示されている。
【０００４】
また、特許文献２には、首等から下げることが可能なように、表表紙、裏表紙及び各ページを綴じる綴じ具兼吊り下げ具を有するカード型絵本が開示されている。
【０００５】
【特許文献１】特開２００１−４７７６６
【特許文献２】実開平６−２１６９９
【０００６】
更には、カード型絵本の中には、各ページ体を絵本本体から取出し、カード単体として利用に供することを想定しているものがある。図７は従来より見られる、各ページ体が取出し可能なカード型絵本の絵本本体７１の斜視図である。この従来例においては、ページ体７２・・・７２は長矩形に形成され、留め具７５のピン部材７５ａを貫通させ蓋部材７５ｂにて固定する貫通孔７４・・・７４はページ体７２の角近傍に設けられている。従ってカバー体７３から取り外してバラバラになった各ページ体７２・・・７２を元に戻すにあたって揃えるには、カードの表裏さえ揃えれば、あとは各ページ体を正しく重ねるだけで貫通孔７４・・・７４の位置は揃い、留め具７５を用いてカバー体７３と固定させることができる。
【考案の開示】
【考案が解決しようとする課題】
【０００７】
ところで上記従来例のように、長矩形でかつ貫通孔７４をページ体７２の角に設けた場合、図７（ｂ）に示すように、ページ体７２を視認可能にさせる方向は図示時計回り方向に限られ、右利きの幼児には都合がよいが左利きの幼児には使い勝手が悪い。これを解決するために、カバー体７３の懐部分を長めに構成すると、ページ体７２の遊びがありすぎてカバー体としての用を成さない。
【０００８】
そこでカードそのものの形状を長矩形以外の形状にすることが考えられる。しかし例えば円形にした場合、一旦絵本本体から取り外した後に貫通孔の位置あわせを行うことが難しく、バラバラにして使用したあとの片付けを幼児が面倒くさがって行わず、幼児の整理整頓の習慣を身につけるに当たって阻害要因となる。またバラバラのまま放置されることでカードの紛失が起こりやすくなる。
【０００９】
そこで本考案においては、長矩形状以外のページ形状を有し、カード体を絵本本体に固定させた状態にあっては左右どちらからでも回転展開可能であり、かつカード体が取出し可能なカード型絵本において、取り出したカードの貫通孔の位置合わせを容易に行うことができ、後片付けが容易なカード型絵本を提供することを目的とする。
【課題を解決するための手段】
【００１０】
本考案にかかる第一の考案は、カバー体と、複数枚のカード体と、前記複数枚のカード体が回動可能なように前記カバー体と固定させる固定部材と、を有するカード型絵本であって、前記固定部材は、前記カード体及び前記カバー体に設けられた貫通孔に貫通させる軸部材と、前記軸部材の先端近傍において着脱可能に取り付けられる蓋部材とからなり、前記複数のカード体のページ面の形状は正円形状又は略正円形状に形成されており、前記貫通孔に近傍のカード体縁部には直線状のカット部が設けられていることをその要旨とする。
【００１１】
この構成によれば、貫通孔近傍に設けられたカット部が貫通孔の位置合わせの役割を果たすため、ページ面の形状が正円形状又は略正円形状であっても、貫通孔の位置合わせを容易に行うことができる。
【００１２】
本考案にかかる第二の考案は、カバー体と、複数枚のカード体と、前記複数枚のカード体が回動可能なように前記カバー体と固定させる固定部材と、を有するカード型絵本であって、前記固定部材は、前記カード体及び前記カバー体に設けられた貫通孔に貫通させる軸部材と、前記軸部材の先端近傍において着脱可能に取り付けられる蓋部材とからなり、前記複数のカード体のページ面の形状は楕円形状又は略楕円形状に形成されており、前記貫通孔はカード体の長径方向の一方端近傍に形成されており、前記貫通孔に近傍のカード体縁部には直線状のカット部が設けられていることをその要旨とする。
【００１３】
この構成によれば、貫通孔近傍に設けられたカット部が貫通孔の位置合わせの役割を果たすため、ページ面の形状が楕円形状又は略楕円形状であっても、貫通孔の位置合わせを容易に行うことができる。
【００１４】
本考案にかかる第三の考案は、カバー体と、複数枚のカード体と、前記複数枚のカード体が回動可能なように前記カバー体と固定させる固定部材と、を有するカード型絵本であって、前記固定部材は、前記カード体及び前記カバー体に設けられた貫通孔に貫通させる軸部材と、前記軸部材の先端近傍において着脱可能に取り付けられる蓋部材とからなり、前記複数のカード体のページ面の形状は、正円形状又は略正円形状の直径両端部周縁に一対の切欠部を設けた形状に形成されており、前記貫通孔に近傍のカード体縁部には直線状のカット部が設けられていることを要旨とする。
【００１５】
この構成によれば、貫通孔近傍のカット部が位置合わせとして機能するのに加え、切欠部が各カード体を持つ際、指を添える位置のガイドとして機能する。従って正円形状又は略正円形状のカード体であっても、貫通孔の位置あわせが容易になる。
【００１６】
本考案に係る第四の考案は、カバー体と、複数枚のカード体と、前記複数枚のカード体が回動可能なように前記カバー体と固定させる固定部材と、を有するカード型絵本であって、前記固定部材は、前記カード体及び前記カバー体に設けられた貫通孔に貫通させる軸部材と、前記軸部材の先端近傍において着脱可能に取り付けられる蓋部材とからなり、前記複数のカード体のページ面の形状は、楕円形状又は略楕円形状の短径両端部周縁に一対の切欠部を設けた形状に形成されており、前記貫通孔はカード体の長径方向の一方端近傍に設けられており、前記貫通孔に近傍のカード体縁部には直線状のカット部が設けられていることを要旨とする。
【００１７】
この構成によれば、貫通孔近傍のカット部が位置合わせとして機能するのに加え、切欠部が各カード体を持つ際、指を添える位置のガイドとして機能する。従って楕円形状又は略楕円形状のカード体であっても、貫通孔の位置あわせが容易になる。
【００１８】
そして、上述の各切欠部の大きさ及び形状は、直径１ｃｍから２ｃｍ、より望ましくは直径１．２ｃｍから１．５ｃｍの半円形状又は略半円形状とすることで、主たる使用者として想定される幼児の指の大きさに適したものとすることができる（請求項５）。
【考案の効果】
【００１９】
以上、本考案にかかるカード型絵本によれば、右利き、左利きのいずれの使用者であっても使いやすさを実現しつつ、カードを絵本本体から取り外して使用した後の片付けにおいても困難なく貫通孔を位置合わせすることができる。従って、カードそのものを紛失することを防止することができる。また、主たる使用者として想定される幼児の整理整頓習慣を身につけさせる一助となる。
【考案を実施するための最良の形態】
【００２０】
以下、本考案に係るカード型絵本の実施例を、図を参照しつつ説明する。
【００２１】
図１は、本考案に係るカード型絵本の第一の実施例を示したものである。図１（ａ）に示すように、絵本本体１は複数枚のカード体２・・・２をカバー体３で挟み込む形状に構成されている。各カード体２・・・２及びカバー体３には、留め具５を貫通させるための貫通孔４・・・４が設けられている。留め具５はピン部材５ａ及び蓋部材５ｂからなる。ピン部材５ａは、その棒状部分の表面にらせん状の突起が設けられており、これと蓋部材５ｂの筒状部分の内側（図示しない）に設けられたらせん状の溝とで回転係止することができる。ピン部材５ａを各貫通孔４・・・４を貫くように通した状態で蓋部材５ｂを回転係止することで、絵本本体１における固定部材としての機能を果たす。なお固定部材の形状は本実施例における留め具５の如き構成ないし形状には限られず、後述するように、各カード体２・・・２を絵本本体１に固定させ、かつ固定部材部分を回転の支点として各カード体２・・・２を回転展開させることが可能であればその構成、形状は問わない。
【００２２】
図１（ｂ）は、各カード体２・・・２を、カバー体３と固定された状態において回転展開させることでページ面を視認可能にした状態を示したものである。上述の通り各ページ体２・・・２は絵本本体１に固定された状態であっても、留め具５で固定された貫通孔４・・・４部分を支点として回転展開可能に構成されている。このように、絵本本体１に固定された状態であっても、その記載内容を展開させてみることができる。
【００２３】
図１（ｃ）は、留め具５を外し、カバー体３の上面を取り外して、挟み込まれていたカード体２・・・２を取出し可能な状態を図示したものである。カバー体３は、図１（ａ）及び（ｂ）のように、留め具５を留めた状態にあっては、表表紙、背表紙、裏表紙を連続した一葉の部材で構成している。カバー体３を構成する素材としては、厚紙、ボール紙など比較的厚手の丈夫な紙素材の他、カバーとして必要な一定程度の強度を有する素材であればプラスチック、ゴム等適宜採用することができる。図示するように留め具５を外すことで、絵本本体１のページを構成していた各カード体２・・・２は単体ごとに取り扱うことが可能になる。従って、カード遊び用のカードとして用いることができるほか、絵本のページ順を任意に並べ替えることもできる。
【００２４】
図２は、カード体２の一枚を正面から図示した図である。本実施例にかかるカード体２の頁面は正円状に形成されており、貫通孔４が縁部近傍に設けられている。この貫通孔４に留め具５（ピン部材５ａ）を貫通させて絵本本体１を構成することは前述の通りである。そしてこのカード体２の周縁部のうち貫通孔４の近傍には、切り口が直線になるように裁断されたカット部６が設けられている。図１（ａ）に示したように、バラバラになったカード体２・・・２を揃えて絵本本体１に戻すにあたっては、貫通孔４・・・４を位置合わせする必要があるが、カット部６が位置合わせのガイドの機能を果たすことにより、想定される主たる使用者である幼児であっても、例えば複数枚のカード体２・・・２を、カット部６が概ね下向きになるように重ねて持ち、卓上等に軽く数回叩きつけることで複数枚のカード体２・・・２のカット部６が合わさって略平面を形成するように揃い、結果各貫通孔４・・・４の位置あわせができる。
【００２５】
このように、本実施例に係るカード型絵本によれば、絵本本体１から取り外してバラバラになったカード体２・・・２を、例えば幼児であっても容易に揃え、元通りにしまうことができる。従って個々のカード体２を紛失する可能性が低く、また幼児に整理整頓の習慣を身につけさせる一助ともなる。
【００２６】
なお、本実施例におけるカード体２の形状は正円形状としたが、これに限られず、周縁部が曲線で構成されており、カット部６を設けることで位置合わせを容易にすることができる形状であれば適用可能である。
【００２７】
図３は、本考案に係るカード型絵本の第二の実施例を図示したものである。
図３（ａ）に示すように、絵本本体１１は複数枚のカード体１２・・・１２をカバー体１３で挟み込む形状に構成されている。各カード体１２・・・１２及びカバー体１３には、留め具１５を貫通させるための貫通孔１４・・・１４が設けられている。留め具１５はピン部材１５ａ及び蓋部材１５ｂからなる。ピン部材１５ａは、その棒状部分の内部にらせん状の突起が設けられており、これと蓋部材１５ｂの筒状部内部（図示しない）に設けられたらせん状の溝とで回転係止することができる。ピン部材１５ａを各貫通孔１４・・・１４を貫くように通した状態で蓋部材１５ｂを回転係止することで、絵本本体１における固定部材としての機能を果たす。留め具１５の構成は本実施例の他適宜採用可能なことは前述のとおりである。
【００２８】
図３（ｂ）は、各カード体１２・・・１２を、カバー体１３と固定された状態において回転展開させることでページ面を視認可能にした状態を示したものである。上述の通り各ページ体１２・・・１２は絵本本体１１に固定された状態であっても、留め具１５で固定された貫通孔１４・・・１４部分を支点として回転展開可能に構成されている。このように、絵本本体１１に固定された状態であっても、回転展開させることでその記載内容を見ることができる。
【００２９】
図３（ｃ）は、留め具１５を外し、カバー体１３の上面を取り外して、挟み込まれていたカード体１２・・・１２を取出し可能な状態を図示したものである。カバー体１３は、図３（ａ）及び（ｂ）のように、留め具１５を留めた状態にあっては、表表紙、背表紙、裏表紙を連続した一葉の紙で構成している。図示するように留め具１５を外すことで、絵本本体１１のページを構成していた各カード体１２・・・１２は単体ごとに取り扱うことが可能になる。従って、カード遊び用のカードとして用いることができるほか、絵本のページ順を任意に並べ替えることもできる。
【００３０】
図４は、カード体１２の一枚を正面から図示した図である。本実施例にかかるカード体１２の頁面は楕円状に形成されており、貫通孔１４がカード体１２の長径方向の一方端近傍に設けられている。この貫通孔１４に留め具１５（ピン部材１５ａ）を貫通させて絵本本体１１を構成することは前述の通りである。そしてこのカード体１２の周縁部のうち貫通孔１４の近傍には、切り口が直線になるように裁断されたカット部１６が設けられている。図３（ａ）に示したように、バラバラになったカード体１２・・・１２を揃えて絵本本体１１に戻すにあたっては、貫通孔１４・・・１４を位置合わせする必要があるが、カット部１６が位置合わせのガイドの機能を果たすことにより、想定される主たる使用者である幼児であっても、例えば複数枚のカード体１２・・・１２を、カット部１６が概ね下向きになるように重ねて持ち、卓上等に軽く数回叩きつけることで複数枚のカード体１２・・・１２のカット部１６が合わさって略平面を形成するように揃い、結果各貫通孔１４・・・１４の位置あわせができる。
【００３１】
このように本実施例にかかるカード型絵本によれば、より個性的な形状のカード体１２を採用した場合においても、その取り扱いや後片付けが容易になり、率先して後片付けをするようになるから、放置した結果カード体１２を紛失して使用者が落胆するおそれが少ない。
【００３２】
更に別異の実施例に係るカード型絵本のカード体の形状として、図５に示すカード体２２のような形状も採用することができる。なおこの実施例に係るカード型絵本がカバー体に収まっている状態及び同状態においてカード体を回転展開させることで視認可能な状態については、カード体のページ面の形状を除いて上述の各実施例と共通することから、図示を省略する。
【００３３】
図５に示す、略正円形状のカード体２２のページ面には、図２で示したのと同様に、貫通孔２４が、図示における「６時」の位置に設けられており、その近傍周縁部分に直線状のカット部２６が設けられている。そしてそれに加えて、図示するように、正円形状の直径両端部周縁（図示における、「３時」と「９時」の位置）に、一対の切欠部２７，２７が設けられている。この切欠部２７，２７は、貫通孔２４の位置合わせをするために使用者が指を添えるためのガイドとして機能するものであり、複数枚のカード体２２・・・２２を、この切欠部２７・・・２７が揃うように持つことによって、カード体２２・・・２２の向きを概ね揃えることが可能となる。
【００３４】
上述の通り、切欠部２７は使用者が指を添えることを想定している。従ってその形状としては指の腹部の膨らみに合致するように半円形状または略半円形状が好ましい。また想定される主たる使用者が幼児であることから、その大きさとしては、幼児の指の太さに合うように、直径１ｃｍから２ｃｍ、より好ましくは直径１．２ｃｍから１．５ｃｍが適切である。
【００３５】
このように、本実施例に係るカード型絵本では、カード体２２の指を添える部分に切欠部２７を設けたことから、貫通孔２４の位置合わせが一層容易となり、バラバラになったカード体２２・・・２２の片付けが便利であり、ひいては幼児の整理整頓の習慣を身につける一助ともなる。
【００３６】
なお、カード体のページ面の形状としては、図５に示したものの他、例えば図６のように略楕円形状であって、その長径方向の一方端近傍に貫通穴３４及びカット部３６を設け、その短径両端部近傍に切欠部３７，３７を設けるようにしても良い。
【００３７】
また、カード体のページ面の形状としては、幾何学上の厳密な正円形状ないし楕円形状に限定されるものではなく、本考案の構成を採用することで同様の効果を奏しうる形状のカード体であれば適用可能であることは言うまでもない。
【図面の簡単な説明】
【００３８】
【図１】本考案の第一の実施例に係るカード型絵本の、（ａ）カバー体に収まっている状態の斜視図である。（ｂ）（ａ）において挟み込まれたカード体を回転展開させた状態の斜視図である。（ｃ）カバー体、留め具を外した状態の斜視図である。
【図２】本考案の第一の実施例に係るカード型絵本の、カード体ページ面の正面図である。
【図３】本考案の第二の実施例に係るカード型絵本の、（ａ）カバー体に収まっている状態の斜視図である。（ｂ）（ａ）において挟み込まれたカード体を回転展開させた状態の斜視図である。（ｃ）カバー体、留め具を外した状態の斜視図である。
【図４】本考案の第二の実施例に係るカード型絵本の、カード体ページ面の正面図である。
【図５】本考案の、別異の実施例に係るカード型絵本の、カード体ページ面の正面図である。
【図６】本考案の、更に別異の実施例に係るカード型絵本の、カード体ページ部の正面図である。
【図７】従来のカード型絵本の、（ａ）カバー体に収まっている状態の斜視図である。（ｂ）（ａ）において挟み込まれたカード体を回転展開させた状態の斜視図である。（ｃ）カバー体、留め具を外した状態の斜視図である。
【符号の説明】
【００３９】
１  ，１１，７１            絵本本体
２  ，１２，２２，７２      カード体
３  ，１３，７３            カバー体
４  ，１４，２４，７４      貫通孔
５  ，１５，７５            留め具（固定部材）
５ａ，１５ａ，７５ａ        ピン部材 （軸部材）
５ｂ，１５ｂ，７５ｂ        蓋部材
６  ，１６，２６，３６      カット部
２７，３７                  切欠部
【図１】
0003123355.tif 000003
【図２】
0003123355.tif 000004
【図３】
0003123355.tif 000005
【図４】
0003123355.tif 000006
【図５】
0003123355.tif 000007
【図６】
0003123355.tif 000008
【図７】
0003123355.tif 000009